(57)【特許請求の範囲】
【請求項１】
一対の基板に液晶が挟持されてなる反射型の液晶パネルと、発光層が一対の基板間に挟み込まれて形成される発光部を有する照明手段とを少なくとも備え、
前記液晶パネルは複数の画素を有し、
前記照明手段は、前記複数の画素の各々に振り分けられて配置され、それぞれが異なる発光色を呈する有機エレクトロルミネッセンス素子からなる発光部を有することを特徴とする液晶装置。
【請求項２】
一対の基板に液晶が挟持されてなる反射型の液晶パネルと、発光層が一対の基板間に挟み込まれて形成される発光部を有する照明手段とを少なくとも備え、
前記液晶パネルは複数の画素を有し、当該複数の画素にはカラーフィルターの複数の色要素が各々配置され、
前記照明手段は、前記複数の画素の各々に振り分けられて配置され、それぞれが異なる発光色を呈する有機エレクトロルミネッセンス素子からなる発光部を有し、
前記発光部を構成する前記有機エレクトロルミネッセンス素子の発光色は、当該発光部に対応する画素における前記カラーフィルターの透過色と同じ色調であることを特徴とする液晶装置。
【請求項３】
前記照明手段は前記液晶パネルの視認側に設けられていることを特徴とする請求項１または２に記載の液晶装置。
【請求項４】
一対の基板に液晶が挟持されてなる反射型の液晶パネルと、発光層が一対の基板間に挟み込まれて形成される発光部を有する照明手段とを少なくとも備え、
前記照明手段の発光部が、前記液晶パネルの視認側と反対側の基板に形成されていることを特徴とする液晶装置。
【請求項５】
前記液晶パネルには、マトリクス状に配置された複数の画素電極が設けられ、前記発光部は前記画素電極と画素電極の間にあたる部位に配置されていることを特徴とする請求項４に記載の液晶装置。
【請求項６】
前記発光部は前記画素電極と平面的に重ならないように形成されてなることを特徴とする請求項５に記載の液晶装置。
【請求項７】
前記発光部は、前記照明手段を構成する支持板上に所定のパターンで配置されていることを特徴とする請求項１ないし６のいずれか一項に記載の液晶装置。
【請求項８】
前記発光部の視認側には低反射手段が配設されてなることを特徴とする請求項１ないし７のいずれか一項に記載の液晶装置。
【請求項９】
前記照明手段と前記液晶パネルとの間には光透過性部材が形成されてなることを特徴とする請求項１ないし８のいずれか一項に記載の液晶装置。
【請求項１０】
前記照明手段を構成する支持板にはタッチセンサー機能が設けられていることを特徴とする請求項１ないし９のいずれか一項に記載の液晶装置。
【請求項１１】
請求項１ないし１０のいずれか一項に記載の液晶装置を機器本体の所定の位置に固定して表示装置としたことを特徴とする電子機器。
【発明の詳細な説明】
【０００１】
【発明の属する技術分野】
本発明は、液晶装置および電子機器に関する。
【０００２】
【従来の技術】
従来、液晶装置を利用したディスプレイはバックライトを光源として備えた透過型液晶装置が主流であった。しかし、主として携帯用電子機器に用いられる液晶装置においては、低消費電力化を図る必要があり、バックライトを必要とする透過型液晶装置では限界があるために反射型液晶装置の開発が活発に行われている。
【０００３】
この反射型液晶装置は外部からの自然光等を光源とするため、大幅な低消費電力化を図ることができるが、一方、暗い場所では鮮明な表示が得られないために、最近ではフロントライトを備えた反射型液晶装置が発表されている。
【０００４】
このフロントライトを備えた反射型液晶装置は、使用場所の明るさに応じてフロントライトをオン／オフすればよく、かかる反射型液晶装置を備えた携帯用電子機器の低消費電力化を図ることができ、電池を無駄に減らさないため長時間駆動が可能となっている。
【０００５】
ここで、従来のフロントライトの一例を図１０に基づき説明する。液晶パネルＰの前面に導光板６２０を設け、その側部に取り付けられた冷陰極管６４０からの光を導光板６２０により導光し、導光板６２０の液晶パネルＰの側に設けられた凹凸パターン６００によって、液晶パネルＰの方向に光が出射されるように構成されている。液晶パネルＰは反射板を有する反射型表示体として構成されており、この出射光Ｌによって照明されることによって暗い場所においても視認することが可能になる。
【０００６】
【発明が解決しようとする課題】
しかしながら、上述したフロントライトには以下に挙げるような様々な問題点がある。第一に、導光板が厚いため、液晶パネルから反射してきた光が導光板で吸収され、光透過率が低下して表示が暗くなる。第二に、光の出射方向を規定するために形成されたプリズムシートの凹凸パターンが、観察者の側から見えてしまうため表示の視認性が低下する。第三に、フロントライトを点灯した場合、必ずしも液晶パネルから反射してきた光だけが観察者に届くわけではなく、冷陰極管から導光板を介してそのまま観察者に届く（漏れ）光も有りコントラストが低下する。
【０００７】
さらに、冷陰極管と導光板とからなる照明装置を使用すると表示領域の明るさを均一にするのが困難となるとともに、冷陰極管は液晶パネルの側部に取り付けられるため装置全体が大型になり、小型化が困難となる。また、点灯しているときの消費電力が大きいので低消費電力化を図るには限界がある。つまり、携帯型の電子機器に搭載した際には、消費電力の問題により長時間連続的に使用することが不可能となる。
【０００８】
そこで、本発明は暗い場所でも表示体の視認性を確保可能な照明手段を設けた液晶装置および該液晶装置を備えた電子機器を提供することを目的とする。
【０００９】
【課題を解決するための手段】
本願において開示される液晶装置は、一対の基板に液晶が挟持されてなる液晶パネルと、発光層が一対の電極で挟み込んで形成される発光部を有する照明手段を備えているものである。
【００１０】
このような構成により、照明手段を構成する発光部を、液晶パネル表面に平面的かつ均一に配置することが出来るようになり、照明効率をあげることが出来る。
【００１１】
また、前記照明手段を構成する発光部は、支持板上に所定のパターンで配置、形成されるようにした。
【００１２】
これにより、照明手段を、液晶パネルと独立して構成できるようになるので、組み合わせる液晶パネルは従来と同様の製造方法によって製造したものを用いることができる。また発光部の配置を自由に設定できるようになり、表示品質を高くすることが出来る。
【００１３】
さらに前記反射型液晶パネルには、マトリクス状に配置された複数の画素電極が設けられ、前記照明手段を形成する発光部は、表示観察面から見て、前記画素電極と画素電極の間にあたる部位に配置されているようにすることが望ましい。
【００１４】
これによれば、もともと表示に寄与しない部位に発光層を設けるため、開口率を低下させることなく明るい表示を得ることができるとともに、液晶パネルの視認側に照明手段が設けられた場合には、前記発光層にブラックマスクを兼用させることもできる。
【００１５】
前記照明手段は前記液晶パネルの表示観察側の面に設けられ、前記照明手段の表示視認側には低反射手段を設けるとよい。
【００１６】
これにより、外部から入射する光が、発光部を形成する電極などで反射してコントラストを低下させるのを防止できる。
【００１７】
さらに前記照明手段を構成する発光部が、それぞれ異なる発光色を呈する複数の領域に分割形成すること可能である。
【００１８】
これによると、例えばカラーフィルターを持たず外光の反射によって表示を行う際にはモノクロ表示である反射型液晶パネルであっても、前記照明手段により画素毎に赤、青、緑などの異なる色調の光を照射することにより、照明時にはカラー表示を行うことが出来るようになる。
【００１９】
また、前記液晶パネルが、カラーフィルタを有する反射型カラー液晶パネルの場合に、前記発光部の発光色が、それぞれ照明する画素に設けられているカラーフィルターの透過色に対応するように、配置することも可能である。
【００２０】
これにより、効率的に照明を行えるとともに、照明時には外光反射のとき以上に鮮明な色を表示できるようににすることができる。
【００２１】
また、前記照明手段が形成された前記支持板と該支持板と対向する液晶パネルの構成部材との間には光透過性部材が形成されているのが望ましい。
【００２２】
これにより、発光部を保護するとともに、液晶パネル表面や照明手段を構成する支持板での余分な界面反射を抑えることが出来る。
【００２３】
さらに前記照明手段を構成する支持板にはタッチセンサー機能を設けることも可能である。
【００２４】
従来はタッチセンサー用に電極を設けた別の支持基板を液晶パネル表面に取り付けなくてはいけなかったが、前記照明手段を構成する支持板や、さらには発光部を構成する電極を、タッチセンサー用のそれらと兼用することが可能なので、部材費を低く抑えた、タッチセンサー付き照明装置を提供することが出来る。
【００２５】
さらに前記発光部を構成する発光層は有機エレクトロルミネッセンス（以下有機ＥＬ）によって構成されていることが望ましい。
【００２６】
有機ＥＬは直流低電圧で発光が可能であることなどから消費電力的に優れており、またパターニングに際しても、さまざまな方法により、微細な発光部のパターンを形成することが可能であるので、前記照明手段を実現する目的に非常に適した発光素子である。
【００２７】
本発明の液晶装置をディスプレイとして備えた電子機器にあっては、明るい場所では反射型として用いることにより、低消費電力で視認性の良い表示を行うことが出来る一方、照明手段を用いることで暗い場所でも視認性を低下させることなく明るく鮮明な表示を得ることができる。
【００２８】
【発明の実施の形態】
以下、本発明の好適な実施形態を図面に基づいて説明する。
【００２９】
図１は本発明を適用した液晶装置の一構成例であり、一枚偏光板方式の液晶表示方式とＴＦＴによるアクティブマトリクス駆動を組み合わせた場合である。図１（ａ）は平面図で、図１（ｂ）は（ａ）のＨ−Ｈ’における断面図である。
【００３０】
まず反射型の液晶パネル３２０の構成について説明する。
【００３１】
下基板２１０Ａの上面にはＡｌ（アルミニウム）等からなる反射板を兼ねた略正方形状の画素電極２２０Ａが縦横にマトリクス状に配置され、該画素電極２２０Ａの形成されていない格子状の部分には、走査線とデータ線（図示しない）が縦横に互いに交差するように配置される。また、図示しないが、走査線とデータ線との交点付近にはそれぞれ薄膜トランジスタ（以下、ＴＦＴ：Thin Film Transistorという）が形成されており、各ＴＦＴのドレイン電極に、前記画素電極２２０Ａが接続されている。またＴＦＴのソース電極には前記データ線が、ゲート電極には前記走査線が接続されており、各ＴＦＴにより画素電極に印加される電圧が制御されるように構成されている。
【００３２】
上基板１６０は透明なガラス基板で、該上基板１６０の液晶側の面には、カラーフィルタ１７０が形成され、このカラーフィルタ１７０の上にＩＴＯからなる透明電極１８０が表示領域全体に形成されている。
【００３３】
なおこの場合、画素電極は反射板の機能を兼ねるが、そこに使われる金属は前記Ａｌの他に、Ｎｉ（ニッケル）やＣｒ（クロム）、またはそれらの合金等の反射率が高い金属であれば良い。また、画素電極とは別に画素電極表面にＡｌ，Ｎｉ，Ｃｒ等の金属からなる反射板を設けることもできる。さらに、画素電極をＩＴＯ等からなる透明電極にし、下基板を透明なガラス基板にした上で、１枚の反射板を下基板２１０Ａの裏側（図では下側）に設けることもできる。また、モノクロ表示の場合は、カラーフィルタ１７０は不要となる。
【００３４】
それぞれの基板には、上述したようなカラーフィルターや電極を形成した後で、ポリイミドによる配向膜が形成され、所定の方向に配向処理がなされる。その後、それぞれ電極を形成した面を対向させて所定のギャップを保ってシール材２００により貼り合せ、下基板２１０Ａと上基板１６０との間に液晶１９０Ａを挟持させる。ここで液晶材料およびその配向方向としては特開平３−２２３７１５号公報にあるような、偏光板を一枚だけ使う条件のものを選ぶ。
【００３５】
さらに、上基板１６０の外側の面に位相差板１５０と偏光板１４０とが形成されている。なお、位相差板１５０は必要に応じて複数枚設けても良く、また位相差板を設けない構成でも構わない。表示特性により位相差の異なる位相差板や、視野角を補償するための位相差板などを配置することも可能である。
【００３６】
以上のようにして、反射型の液晶パネル３２０は構成される。
【００３７】
次に照明手段３１０について説明する。
【００３８】
本実施形態においては、厚さ０．２ｍｍのガラス製の支持板１２０が前記液晶パネル上方に配置され、この支持板１２０の内面（図では下面）には有機ＥＬによって形成されている発光部１００が形成されている。この発光部１００は液晶パネルの各画素間にあたる部分、すなわち、アクティブマトリクス型の場合、液晶パネルを上面から見て、データ線および走査線に重なる部分に格子状に形成されて照明手段３１０を構成する。好ましくは、液晶パネルを視認した際、画素電極と平面的に重ならないように発光部を形成する。このように構成することによって、表示領域を狭めることなく、反射領域を確保することができるので明るい反射型の液晶装置を得ることができる。
【００３９】
上述のように構成された照明手段３１０は、発光部１００を形成した面と偏光板１４０を対向させて接着剤１３０で貼り合せ、支持板１２０と偏光板１４０とで挟持された部分に光透過性部材１１０が形成されている。この光透過性部材１１０は、支持板１２０や偏光板１４０の表面での外光の反射を防ぐ目的と、後に説明する有機ＥＬで形成されている発光部１００に水分が吸着するなどして発光寿命が損なわれるのを防ぐ目的で用いられる。よって材料としては、屈折率が支持板を形成するガラス基板と同じ約１．５であり、かつ水分を透過しない材料が望ましい。例えばエポキシ系の樹脂などを用いることが出来る。
【００４０】
液晶パネルが対角２インチ以下程度の小型の場合や、または照明装置３１０と液晶パネル３２０の間に強い接着強度が必要ないときは、接着剤１３０を使わずに、光透過性樹脂１１０により、液晶パネル３２０に照明装置３１０を固定することも可能である。
【００４１】
ここで、前記発光部１００のパターンの一例を、図３および図４に示す。これらの図は、本実施例の液晶装置を、表示観察面から視認したときのものである。
【００４２】
図３は同一の色光を出射する発光部１００を形成する場合の例であり、符号５００が液晶パネル３２０に形成されている単位画素、符号５１０が照明手段３１０に形成されている発光部１００のパターンである。図３（ａ）はこの画素間にあたる格子状の領域にすべて発光部を設けた場合である。このような発光部の配置によると照射効率は最も高くなり、照明手段を用いた場合に最も表示面が明るくなるが、一方で斜め方向から表示を見たときなど、発光部と画素電極が重なってしまい実質的な画素開口部面積が減少するので、外光の反射によって表示を見たときの視認性が損なわれる場合もある。
【００４３】
図３（ｂ）は発光部を縦縞状に設けた場合であり、図３（ｃ）は縦縞に１本おきに設けた場合である。このような発光部の配置によっても、暗い場所での視認性を得るには十分な明るさを確保することが出来るとともに、図３（ａ）の場合に比べ発光部の面積を減らすことができるので、斜め方向から表示を見たときも画素の開口部面積が減少しないで視認性も損なわれない。
【００４４】
さらに図面には示さないが、前記した形成領域内に発光部１００が点在するように形成されてもよい。なお、縦縞のパターンについて説明したが、横縞のパターンについても同様であることはいうまでもない。許容される消費電力や表示品質の関係から充分に明るい表示を得られるように、発光部のパターン形状を決定すればよい。
【００４５】
以上で発光部が単一の発光色を発する場合について説明してきたが、微小領域毎に発光部の発光色を変えることも可能である。例えばカラーフィルターを用いないモノクロの反射型液晶表示体と、発光色が異なる数種類の発光部を有する照明手段の組み合わせにより、外光の反射によって表示を見る場合には、明るいモノクロ状態で液晶表示装置を用い、周囲が暗く照明装置を用いて表示を見る場合には、画素毎に振り分けられた赤、青、緑の照明を用い、カラー表示することが可能になる。また外光の反射により表示を見る場合にもカラー表示となるよう各画素にカラーフィルターを形成してある場合も、各画素が表示する色調、つまりカラーフィルタの透過色に合わせて、発光色の異なる発光部を配置することにより、照明時には、より一層鮮やかなカラー表示にすることも可能である。
【００４６】
図４（ａ）に複数の発光色を呈する発光部を設けた場合の実施例を示す。図は表示観察面から液晶パネルを視認したときの図であり、カラーフィルターは縦ストライプ状に形成されている。図中Ｒ、Ｇ、Ｂはそれぞれ赤、緑、青のカラーフィルターが形成されている画素を示す。また符号５２０が赤色を呈する有機ＥＬからなる発光部の形成領域、５３０が緑色を呈する有機ＥＬからなる発光部の形成領域、５４０が青色を呈する有機ＥＬからなる発光部の形成領域である。
【００４７】
図４（ｂ）に図４（ａ）のＡ−Ａ’の断面図を示す。赤色のカラーフィルター１７０Ｒが配置されている画素は、赤色の光を発する発光部１００Ｒが配置されるようになっている。このように画素に対応するカラーフィルターの色調と発光部の発光色を同じにすると、照明したときには、外光反射で見るとき以上の鮮明な色調による表示が可能となるだけでなく、発光された光が効率的に照明に利用されるので、低消費電力化に対しても有利になる。
【００４８】
図２（ａ）に、前記発光部１００の具体的な構造例を示す。支持板１２０上に酸化Ｃｒからなる低反射層１０３が厚み１００オングストローム〜１０００オングストロームで形成された上に、Ａｌ−Ｌｉ合金からなる第１電極１０２が厚み３００オングストロームから２０００オングストロームで、有機ＥＬ層１０１が厚み１５００オングストロームから１００００オングストロームで、そしてＩＴＯからなる第２電極１０４が厚み１０００オングストロームから３０００オングストロームで積層され発光部１００が形成されている。ここで第１電極となるＡｌ−Ｌｉ合金電極１０２は、有機ＥＬ層１０１から等方的に発せられる光を、すべて液晶パネルの方向へ向けるための反射板を兼ねる。
【００４９】
低反射層１０３や第１電極１０２は、それぞれ酸化ＣｒやＡｌ−Ｌｉ合金をスパッタ法などにより製膜し、フォトリソ工程によってパターンニングすることにより形成される。また実際に発光に寄与する有機ＥＬ層１０１は、マスク蒸着方式や、液滴化した有機ＥＬ材料を微少ノズルから射出してパターン形成するインクジェット方式によって、第１電極上に形成される。ＩＴＯからなる第２電極１０４はマスク蒸着方式によりパターニングして形成することが出来る。
【００５０】
低反射層１０３は支持板１２０の側から入射する光が第１電極１０２で反射することによりコントラストが低下するのを防止する目的で形成される。よって発光部パターン面積が小さいなどの理由で、第１電極での外光反射によるコントラスト低下が問題にならない場合は、低反射層１０３は省略することができる。
【００５１】
パターンの断面形状について、通常はパターンずれにより第２電極と第１電極が直接電気的に短絡するのを防ぐために、図２（ｂ）のように有機ＥＬ層１０１により第１電極１０２を覆うようにするか、図２（ｃ）のように第２電極１０４を第１電極１０２や有機ＥＬ層１０１に比べて細くするようにする。ここで図２（ｂ）のように、第１電極１０２を有機ＥＬ層１０１により覆った場合は、第２電極１０４を必ずしもパターニングする必要はなく、例えば支持基板１２０の全面に第２電極を形成することも可能になる。
【００５２】
前記第１電極１０２と第２電極１０４との間に所定の電圧を印加することでその間に挟まれている有機ＥＬ層１０１が発光する。有機ＥＬの場合、必要な照度を得るために必要な電圧の大きさは直流で２〜１０Ｖ程度である。
【００５３】
高分子材料など液滴化が可能な有機材料を有機ＥＬ層として用いる場合、インクジェット方式により有機ＥＬ層を形成するようにすることが出来る。これによれば格子状のパターンや複数の異なる発光色を出射する発光部を形成する場合でも発光部１００を比較的容易に形成できる。例えば図３（ａ）に示したような格子状のパターンの場合、マスク蒸着方式では一度の蒸着でパターンを形成することが出来ないが、インクジェット方式による有機ＥＬ材料の直接描画によれば、容易に複雑なパターンを形成することが出来る。また図４に示すような赤、緑または青色を発色する発光部を選択形成する場合でも、インクジェット方式の塗布によれば、容易に場所毎に発光色が異なる発光部を形成することが出来る。このとき例えば、赤色発光材料にはシアノポリフェニレンビニレン、緑色発光材料にはポリフェニレンビニレン、青色発光材料にはポリフェニレンビニレンおよびアルキルフェニレンを使用して、各発光層１０１を形成することができる。
【００５４】
複数の発光材料を用いた場合にも、第１電極や第２電極は共通に用いることができるので、有機ＥＬ層以外の形成工程は単色の場合と変わらない。また先述の通り、透明電極である第２電極については、第１電極との電気的短絡に注意すれば支持板全面にわたって形成することも可能である。
【００５５】
以上、本実施形態の液晶装置の構成について説明したが、以下に本実施形態の液晶装置における照明手段の使用方法について説明する。
【００５６】
本実施形態の液晶装置は、通常は照明手段を用いずに、液晶パネルのみを駆動して自然光などの外光を利用して表示を視認させ、周囲が暗くなり充分な明るさで表示を得られない場合、照明手段を点灯して使用するものである。
【００５７】
図２において照明手段のスイッチがオンされると前記発光部１００を構成する第１電極１０２と、第２電極１０４間に電圧が印加され有機ＥＬからなる発光層１０１から色光が出射される。ここで、発光層１０１からは等方的に光が出射されるが観察者側に形成される第１電極は反射板を兼ねているため、第１電極側に出射された光はそこで反射され、その結果ほとんどの光は略下方へ出射される。
【００５８】
ここで図１（ｂ）のように、照明装置３１０が反射型液晶パネル３２０上に取り付けられているとき、液晶が光を透過する状態（白表示）であれば出射された光は液晶パネル内に入射、反射板を兼ねた画素電極２２０Ａで反射し、液晶パネルおよび照明装置３１０を形成する透明な支持板を通過して観察者に届く。また液晶が遮光状態（黒表示）であれば、照明装置から出射された光は、液晶パネルにより遮られ、観察者には届かなくなる。
【００５９】
以上、本発明を実施形態に基づき具体的に説明したが、本発明は前記実施形態に限定されるものではない。
【００６０】
例えば前記実施形態は偏光板を一枚のみを配置した液晶装置について説明したが、液晶パネルを挟持するように２枚の偏光板を配置し、裏面側の偏光板の外側に反射板を設けた液晶装置とすることも可能である。
【００６１】
また、偏光板を用いない構成の液晶パネルでも構成可能である。すなわち、液晶と高分子とからなる複合層を一対の基板間に挟持した液晶パネルであれば偏光板が不要であり、光の透過状態と散乱状態とにより表示を行うことが可能である。
【００６２】
また、２色性色素を用いたＧＨ方式（ゲストホスト方式）の反射型液晶液晶表示装置に用いることも可能である。
【００６３】
図５は反射ＳＴＮ方式を用いた２枚偏光板方式の液晶装置に本発明を適用した一構成例である。本実施例は、液晶パネルがカラーフィルターを備えない、モノクロタイプについて例示している。
【００６４】
図５では、透明な下基板２１０Ｂの裏面（図では下面）には偏光板２３０が接合され、この偏光板２３０に反射板２４０が接合され、下基板２１０Ｂの液晶側の面にはＩＴＯ等からなりストライプ状にパターニングされた透明な電極２２０Ｂが配置されている。一方透明な上基板１６０の液晶側にはＩＴＯからなり下基板に設けられた透明電極２２０Ｂと直角に交わる方向にパターニングされたストライプ状の透明電極１８０が形成されている。それぞれの基板の最も内側となる部分には図示しないポリイミドからなる配向膜が形成され、配向処理が施されている。２枚の基板１６０，２１０Ｂ間には、正の誘電率異方性を持つネマテック液晶１９０Ｂがほぼ２７０度捩じれた状態で安定になるように調整され注入されている。上基板１６０の表側（図では上面）には、位相補償するための位相差板１５０と、偏光板１４０が設置されている。支持板１２０と発光部１００などからなる照明装置３１０はその上に設置される。
【００６５】
照明手段から出射された光は図５の矢印のように、進入、反射され、液晶と偏光板で透過と吸収を制御されて表示が行われる。このために、前記実施例では、画素電極２２０Ａが反射電極を兼ねていたが、この実施例では、電極２２０Ｂは透明電極でありしかもストライプ状の電極である。また、下基板２１０Ｂも透明基板として形成される。
【００６６】
この場合、発光部１００が呈する色については、白色に近い色の他にも、緑系統や赤系統など様々なものを用いることができる。照明時は光の吸収による黒色と、発光部の発光色の組み合わせにより表示が視認される。
【００６７】
図６、７は本発明を適用した液晶装置の他の構成例である
本実施例に示す液晶装置の構成は、図５に示す構成とほぼ同じであり、照明手段の形成位置のみが異なるので、照明手段以外の形成については説明を省略する。
【００６８】
図６では液晶パネル（下基板２１０Ｂ）の裏面に発光部１００が所定のパターンに形成されている。この実施例では、下基板２１０Ｂを支持板としても使用している。下基板２１０Ｂと偏光板２３０をシール材で貼り合せ内部に光透過性部材１１０を形成して照明手段が構成される。照明手段から出射された光は、まず偏光板２３０に進入、反射板２４０で反射され、再び偏光板２３０を通って、液晶へと進入する。この光は液晶と出射側の偏光板で制御されて表示が行われる。
【００６９】
図７では下基板２１０Ｂに形成された画素電極２２０Ｂの間に照明手段が設けられている。このような構造は、下基板２１０Ｂの製造工程において、発光部１００を形成することにより可能となる。この場合発光部１００は、ＳｉＯ２などの保護層２５０によって液晶等から隔離されていることが、信頼性確保のために望ましい。照明手段から出射された光は図７の矢印のように、反射板２４０で反射され、液晶と偏光板で制御されて表示が行われる。
【００７０】
図６、７に示す実施例によれば、光が有機ＥＬ発光層から出射されてから観察者に届くまでの光路が図５に示す実施例に比べて短いので、液晶等での光の吸収を抑制でき明るい表示を得ることが可能となる。また液晶パネルの表面に照明装置がないので、通常の外光反射により表示を行う際に、表示の劣化がない。
【００７１】
発光部の場所について、いくつかの例を示したが、偏光板を用いる方式の液晶パネルと組み合わせる場合、重要なことは、発光部から出射された光が、液晶層に侵入する前に一度偏光状態となるように偏光板と発光部を配置することである。
【００７２】
ここで図２などに示した実施形態では発光層１０１を第１電極１０２若しくは低反射層１０３を介して支持板１２０に接合しているが、例えば、液晶パネルの上方に照明手段を設ける場合、偏光板の外側表面上に、発光層１０１を第２電極１０４を介して所定のパターンで形成し、さらにその上に第１電極１０２や低反射層１０３を所定のパターンで形成してもよい。このようにすると支持板を用いる必要がなくなるが、発光部を形成する有機ＥＬ層を水分などから保護するために、別途表面に保護膜を形成することが必要になる。
【００７３】
図８に本発明を、タッチパネルを備えた液晶装置に応用した例を示す。図８は静電容量型タッチパネルと照明手段の構成を示す要部断面図である。
【００７４】
本実施例のタッチパネルを備える液晶装置は、照明手段の上面、すなわち支持体１２０の表面が、タッチ位置検出素子となる所定の面抵抗値を有する透明導電膜８１０で全面を一様に覆われており、この透明導電膜８１０と検知回路を有したフレキシブルプリント基板（タッチ位置検知回路）８２０が複数の電極端子８３０を介して電気的に接続されて構成されている。透明導電膜の表面には保護膜が形成される場合もある。機器の外装ケースには、所定の大きさの開口を有した額縁状の部分８４０が設けられており、その内側部分が外部に露出するタッチ領域８５０となる。このタッチ領域８５０上の任意の点に指などを触れると、透明導電膜８１０はタッチされた点で人体の静電容量を介して接地され、各電極端子８３０と接地ラインとの間の抵抗値に変化が生じる。この変化がタッチ位置検知回路８２０によって検知され、これによってディスプレイ画面上の点（座標）が入力される。
【００７５】
なお、例えば発光部１００を、先に説明したように、液晶パネルを構成する基板の表側に設ける構成にして、第２電極を形成する透明電極板を表示領域全面に１枚の透明電極として設けることにより、発光部１００の透明電極板で先の透明導電膜８１０を代用することができる。
【００７６】
図９に本発明の液晶装置を備えた電子機器の一例を示す。本発明の液晶装置をディスプレイとして備えた反射型のＰＤＡ（Personal Digital Assistant、携帯型情報端末）である。
【００７７】
７００がＰＤＡ本体で、その前面にディスプレイ７１０が設けられており、このディスプレイ７１０が本発明にかかる液晶装置で構成されている。このＰＤＡは、夜間や暗い室内で使用する際に、照明装置のスイッチをオンすることにより、有機ＥＬからなる照明手段が作動し、明るく鮮明な表示を得ることができる。
【図面の簡単な説明】
【図１】本発明の液晶装置の概略構成を示す（ａ）平面図と（ｂ）断面図である。
【図２】有機ＥＬからなる発光部の拡大図である。
【図３】同一の色光を出射する発光部の形成パターン図である。
【図４】異なる色光を出射する複数の発光部の形成パターン図である。
【図５】本発明の照明手段の概略を示す２枚偏光板型液晶装置の断面図である。
【図６】本発明の照明手段の概略を示す他の２枚偏光板型液晶装置の断面図である。
【図７】本発明の照明手段の概略を示す他の２枚偏光板型液晶装置の断面図である。
【図８】静電容量型タッチパネルと照明手段の構成を示す要部断面図である。
【図９】本発明の液晶装置を備えた電子機器（ＰＤＡ）の平面図である。
【図１０】従来のフロントパネルの概略構成図である。
【符号の説明】
１００  発光部
１０１  有機ＥＬ層
１０２  金属電極（第１電極）
１０３  低反射層
１０４  透明電極（第２電極）
１１０  光透過性部材
１２０  支持板
１３０  接着材
１４０  偏光板
１５０  位相差板
１６０  上基板（透明ガラス基板）
１７０  カラーフィルタ
１８０  透明電極
１９０Ａ，１９０Ｂ    液晶
２００  シール材
２１０Ａ  下基板
２１０Ｂ  下基板（透明ガラス基板）
２２０Ａ  画素電極（反射電極）
２２０Ｂ  画素電極（透明電極）
２３０  偏光板
２４０  反射板
２５０  保護層
３１０  照明手段
３２０  液晶パネル
５００  単位画素
５１０  発光部形成領域
【図１】
0003797007.tif 000002
【図２】
0003797007.tif 000003
【図３】
0003797007.tif 000004
【図４】
0003797007.tif 000005
【図５】
0003797007.tif 000006
【図６】
0003797007.tif 000007
【図７】
0003797007.tif 000008
【図８】
0003797007.tif 000009
【図９】
0003797007.tif 000010
【図１０】
0003797007.tif 000011